(57)【特許請求の範囲】
【請求項１】
それぞれのオンラインユーザーデバイスの各ユーザーの個人識別情報を含む電子データにアクセスできる１つ以上のサーバーを用いて実行される方法であって、
前記１つ以上のサーバーを制御する１つの事業者が、オンラインユーザーインターフェースデバイスを用いて、インターネット接続を介して実行される所定のオンライン活動にアクセスでき、前記方法は、
(a) １つの要求サーバーから前記１つ以上のサーバーに、ＩＰアドレス、時間、及び日付の電子伝送を受信させ、
(b) 前記１つ以上のサーバーを用いて、前記ユーザーに対して、前工程(a)で受信された時間及び日付に関連した、前記工程(a)で受信されたＩＰアドレスを自動的に決定し、
(c) オフラインデータプロバイダーから発生するオフラインデータを前記要求サーバーに配信させる電子通信を、前記１つ以上のサーバーから自動的に伝送し、前記オフラインデータは、前記工程(b)で決定された前記ユーザーに関係し、前記電子通信が、前記工程(b)で決定された前記ユーザーによって実行された、前記事業者がアクセスできるオンライン活動の履歴に関連する情報を前記オフラインデータプロバイダーに伝達せず、そして、前記配信及び前記オフラインデータは、前記工程(b)において決定した前記ユーザーの個人識別情報を前記要求サーバーに伝達しないことを特徴とする方法。
【請求項２】
前記工程(b)および前記工程(c)の動作は、前記工程(b)で決定されたユーザーの個人識別情報を伴うオンライン活動の履歴に関連しないで実行されることを特徴とする請求項１記載の方法。
【請求項３】
前記工程(c)において、前記１つ以上のサーバーから電子通信を自動的に伝送することは、
(i) オフラインデータプロバイダーから発生する前記工程(b)において決定したユーザーに関連するオフラインデータを前記要求サーバーに、または、(ii) 前記ＩＰアドレス、時間、及び日付が前記工程(a)で受信される前に、前記オフラインデータプロバイダーから受信されたオフラインデータを前記要求サーバーに、自動的にかつ電気的に指向させるステップを含むことを特徴とする請求項１記載の方法。
【請求項４】
前記工程(c)において、前記１つ以上のサーバーから電子通信を自動的に伝送することは、前記工程(b)において決定されたユーザーを個人的に識別するオフラインデータプロバイダー情報に自動的にかつ電気的に指向させるステップを含むことを特徴とする請求項１記載の方法。
【請求項５】
(i)前記工程(b)において、決定されたユーザーを個人的に識別する情報をオフラインデータプロバイダーに自動的にかつ電気的に指向させるステップは、前記工程(b)において決定されたユーザーに関するオフラインデータを有する前記１つ以上のサーバーによって受信され、そして、(ii)前記工程(c)において生じた配信は、前記オフラインデータプロバイダーから受信されたオフラインデータを前記要求サーバーに伝送するステップを含むことを特徴とする請求項４記載の方法。
【請求項６】
前記工程(b)において、決定されたユーザーを個人的に識別する情報をオフラインデータプロバイダーに自動的にかつ電気的に指向させるステップは、オフラインデータプロバイダーが、前記工程(b)において、決定されたユーザーに関係するオフラインデータを前記要求サーバーに伝達する結果となることを特徴とする請求項４記載の方法。
【請求項７】
前記要求サーバーの識別情報は、予め用意されていることを特徴とする請求項６記載の方法。
【請求項８】
前記工程(c)において、前記１つ以上のサーバーから電子通信を自動的に伝送することは、さらに、前記要求サーバーを識別するオフラインデータプロバイダー情報に自動的にかつ電気的に指向させるステップを含むことを特徴とする請求項６記載の方法。
【請求項９】
（A)(i)前記工程(a)の前記受信されたＩＰアドレス、時間、及び日付に対応するオンライン識別情報を前記要求サーバーから受信し、そして、（ii)前記工程(b)で決定したユーザーを個人的に識別する情報に関連するオンラインデータ識別情報をオフラインデータプロバイダーに前記１つ以上のサーバーから伝送するステップと、
（B)(i) 工程(b)において、決定されたユーザーに対応するオフラインデータ識別情報をオフラインデータプロバイダーから受信し、前記オフラインデータ識別情報は、そのユーザーを個人的に識別せず、そして、(ii)工程(a)において受信されたＩＰアドレス、時間、及び日付に関連するオフラインデータ識別情報を前記１つ以上のサーバーから前記要求サーバーに伝達するステップと、
(C)(i) 前記１つ以上のサーバーを用いて、前記工程(b)において、決定したユーザーに対応するオフラインデータ識別情報を発生させ、前記オフラインデータ識別情報は、前記ユーザーの個人的に識別をせず、(ii)前記工程(a)において、受信されたＩＰアドレス、時間、及び日付に関連して前記要求サーバーに前記１つ以上のサーバーから発生したオフラインデータ識別情報を伝送し、そして、(iii)前記工程(b)において、決定したユーザーを個人的に識別する前記情報に関連してオフラインデータプロバイダーに前記１つ以上のサーバーから発生したオフラインデータ識別情報を伝送するステップとを含むことを特徴とする請求項６記載の方法。
【請求項１０】
前記工程(a)の前記ＩＰアドレス、時間、及び日付は、前記要求サーバーから受信され、または、前記工程(b)において、決定した受信加入者のオンラインアクセスデバイスを介して、前記要求サーバーにオンラインアクセスまたはオンラインリダイレクトに対応することを特徴とする請求項１記載の方法。
【請求項１１】
前記要求サーバーから受信された前記ＩＰアドレスは、多重オンラインユーザーインターフェースデバイスに関連していることを特徴とする請求項１記載の方法。
【請求項１２】
前記１つ以上のサーバーを制御する事業者は、ＩＳＰであり、各ユーザーは、ＩＳＰの受信加入者であることを特徴とする請求項１記載のシステム。
【請求項１３】
前記１つ以上のサーバーが請求項１ないし１２のいずれかの方法を実行するために構成されかつ接続されている、前記１つ以上のサーバーを含むシステム。
【請求項１４】
コンピュータで読取可能な指令をエンコードする有形的表現媒体であって、
１つ以上のサーバーに適用されるとき、前記１つ以上のサーバーが請求項１ないし１２のいずれかに記載の方法を実行するために、前記１つ以上のサーバーに指示することを特徴とする媒体。
【請求項１５】
１つ以上の要求サーバーを用いて実行される方法であって、
(a) それぞれのオンラインユーザーインターフェースデバイスの各ユーザーの個人的な識別情報を含む電子データにアクセスするサーバーに対して、第１ユーザーのオンライン動作に対応する、ＩＰアドレス、時間、及び日付を自動的にかつ電子的に伝送し、前記ＩＰアドレス、時間、及び日付が伝送される前記サーバーを制御する事業者は、それぞれのオンラインユーザーインターフェースデバイスを用いて、それぞれのインターネット接続を介して実行される所定のオンライン活動にアクセスすることができ、
(b)前記ユーザーに関するオフラインデータの電子伝送を受信し、このオフラインデータは、前記事業者がアクセスできるオンライン活動の履歴に関連する情報を欠いているオフラインデータプロバイダーから発生し、前記オンライン活動は、前記第１ユーザーによって実行され、そして、前記受信された電子伝送及び前記オフラインデータは、前記第１ユーザーの個人的な識別情報を配信しないことを特徴とする方法。
【請求項１６】
電子データにアクセスできる前記サーバーは、ＩＳＰの制御の下にあり、各ユーザーは、ＩＳＰの受信加入者であることを特徴とする請求項１５記載の方法。
【請求項１７】
１つ以上のコンピュータを用いて、オフラインデータプロバイダーの制御の下で実行される方法であって、
(a) 第１ユーザーを個人的に識別する情報を含む電子通信を受信し、この受信された通信は、それぞれのオンラインユーザーインターフェースデバイスの各ユーザーの個人的な識別情報を含む電子データにアクセスできるサーバーから受信され、該サーバーは、それぞれのインターネット接続を介して前記オンラインユーザーインターフェースデバイスを用いて実行されるオンライン活動にアクセスできる事業者によって制御され、前記受信された通信は、前記事業者がアクセスできるオンライン活動の履歴に関連する情報を含まず、前記オンライン活動は、前記第１ユーザーによって実行され、そして、
(b) )前記工程(a)に応答して、(i)前記第１ユーザーに関するオフラインデータと、（ii)前記第１ユーザーによって用いられるオンラインユーザーインターフェースを用いて要求サーバーによって関連した識別情報を、前記要求サーバーに自動的にかつ電気的に伝送して、前記第１ユーザーに関連したＩＰアドレスを介して所定の時間及び日付におけるオンライン動作を実行し、前記オフラインデータ及び識別情報は、前記第１ユーザーの個人的識別情報を前記要求サーバーに配信しないことを特徴とする方法。
【請求項１８】
前記電子通信は、ＩＳＰの制御の下で前記サーバーから受信され、前記第１ユーザーは、前記ＩＳＰの受信加入者であることを特徴とする請求項１７記載の方法。
【発明の詳細な説明】
【技術分野】
【０００１】
（関連出願に対する請求項の利益）
この出願は、ロイ  シュケディの名前で２００９年１月１５日に出願された米国仮出願第６１／１４４，９６９号の利益を主張する。上記仮出願は、ここに十分に説明されているように参考としてここに包含される。
【背景技術】
【０００２】
オンラインサーバーコンピュータ（例えば、オンラインサイトをホストするサーバー）が、ネットワーク付けられたコンピュータまたはオンラインユーザーインターフェースデバイスを用いるユーザーによってアクセスされるとき、アクセスされたサーバーは、ユーザーコンピュータ上にクッキーを保存し（または保存されるように生じさせる）、次に続くオンラインサーバーのアクセス中、ユーザーコンピュータが認知するためにオンラインサーバーを作動させる。
【０００３】
クッキーは、ユーザーアクセスに対応するＩＰアドレス、時間、及び日付（ＩＰ／Ｔ／Ｄ）、付加的な又は代替のクッキー識別情報、またはオンラインサーバーのユーザーへのアクセスに関連するより詳細な情報のみを含んでいる。クッキー自体のこのような付加的情報を含む代わりに（または加えて）、この情報は、（ＩＰ／Ｔ／Ｄによって、またはクッキーに含まれるクッキー識別情報によって）クッキーに関連して、オンラインサーバーによって保存される。ユーザーコンピュータを介してオンラインサーバーの後に続くアクセスの時に、サーバーは、クッキーを読み出すことにより、前にアクセスされたサーバーを有するコンピュータを（別のクッキーを置くこと又は現に存在するクッキーを修正または修正しないで）認知することができる。
クッキーの配置及びクッキーの後に続く認知は、一般的に、オンラインサーバー上のプログラムコードの制御の下で、自動的に実行される。
【０００４】
ユーザーコンピュータにそれ自体のクッキーを保存する代わりに、またはそれに付け加えてアクセスされたサーバーは、アクセスするユーザーコンピュータを別のオンラインサーバー（いわゆるリダイレクトサーバー）に変更することができる。このリダイレクトサーバーは、ユーザーコンピュータ上のクッキーを保存または以前に保存されていたクッキーを認定することができ、これにより、リダイレクトサーバーが、次に続くリダイレクトに基づいてユーザーコンピュータを認定することを可能にする。
【０００５】
このリダイレクトは、リダイレクトサーバーのユーザーへのアクセスに関する情報を含むことができる。リダイレクトサーバーは、更に、別のリダイレクトサーバーにユーザーコンピュータをリダイレクトすることができる。
【０００６】
「リダイレクトサーバー」という用語は、リダイレクトサーバーのこのようなシーケンスの何れか１つを表すことができる。一般的にユーザーは、リダイレクト又はクッキーの保存を直接知らず、それぞれリダイレクト又はアクセスされたサーバーのプログラミングコードを制御して、一般的に自動的に実行される。
【０００７】
１つの例は、いわゆる「ウェブビーコン」であり、これは、１×１ピクセル、ウェブバグ、シングル−ピクセルＧＩＦ、ピクセルタグ、スマートタグ、アクションタグ、クリアＧＩＦ、トレーサー、１×１ＧＩＦ、またはクッキーアンカーとして産業界で良く知られている。このようなウェブビーコンは、しばしば、シングル−ピクセル画像として実行され、ウェブページ上、またはｅメール上に気づかないように保存でき、ユーザーコンピュータは、その画像を読み出すためにリダイレクトサーバーにリダイレクトされ、リダイレクトサーバーがアクセス側からクッキー識別情報を受信でき、またはユーザーコンピュータ上にそれ自身のクッキーに保存できる。
【０００８】
いくつかの例では、ユーザーコンピュータは、ユーザーコンピュータ上のプログラムコードの方向付けに従ってリダイレクトサーバーに指向させることができる（いわゆるアドウエア）。
【０００９】
ある例では、リダイレクトサーバーは、ユーザーコンピュータを別のリダイレクトサーバーにリダイレクトするとき、それ自身のクッキー識別情報に従って送信することができる。それは、「クッキーマッチング」として知られており、リダイレクトサーバーが、その過程でそれ自身のクッキー識別情報を別のリダイレクトサーバーと関連させることができる。ユーザーコンピュータとリダイレクトサーバーとの間の後に続く出会いの際に、リダイレクトする側のサーバーは、リダイレクトサーバーに対してユーザーコンピュータにリダイレクトする必要がない。
【００１０】
代わりに、リダイレクトする側のサーバーは、リダイレクト用のクッキー識別情報に従って、ユーザーコンピュータに関する新たに収集された情報をリダイレクトサーバーに直接伝送することができる。リダイレクトサーバーは、前のクッキーに合致したそれ自身のクッキー識別情報をリダイレクトする側のサーバーのクッキー識別情報に一致させるので、リダイレクトサーバーは、伝送された新たに収集した情報をそれ自身のクッキー識別情報に関連させることができる。
【００１１】
その情報は、オンライン広告をターゲットにするために用いられ、または他のサーバーに配信される。リダイレクトするサーバーからリダイレクトサーバーに伝送される合致したクッキー識別情報は、前のユーザー基準に基づいて伝送される。即ち、このような情報を含むファイル（例えば、ログファイル）が、多数のユーザーに対して伝送される。マッチングするクッキーは、ユーザーコンピュータまたはリダイレクトする側のサーバーによるリダイレクトの数を減少させることができる。
【００１２】
ユーザーコンピュータ上のそれ自身のクッキーを用いて、リダイレクトサーバーは、また、ユーザーコンピュータとリダイレクトサーバーとの間の後に続く出会いの際にユーザーコンピュータを認知することができる。
【００１３】
ユーザーによって直接アクセスされたサーバー、またはユーザーコンピュータがリダイレクトされたいくつかのサーバーは、次に種々の方法で用いられるユーザーコンピュータに関連したプロファイルを形成するために、クッキー（また、それらに含まれまたは関連した情報）を用いることができる。このプロファイルに基づいて、アクセスされた又はリダイレクトされたサーバーは、ユーザーコンピュータを介してユーザーにオンライン広告を選択または配信でき、または別のオンラインサーバーがこのような広告を選択しまたは配信させることができる。何れかのシナリオが、「選択する又は配信する」広告のフレーズによって含まれることになる。
【００１４】
オンライン広告は、ユーザーの現在のオンライン期間中、直ちに選択されかつ配信される。または、ユーザーコンピュータ上に保存されたクッキーがアクセスされた又はリダイレクトされたサーバーによって認知されるとき、後に続くオンライン期間中、選択され、後で配信される。広告を提供する代わりに（または付け加えて）、アクセスされたまたはリダイレクトされたサーバーは、他のオンラインサーバーからユーザーデータを収集することができ、他のオンラインユーザーにユーザーデータを配信し、又は、ユーザーデータを集めることができる。オンライン広告の選択又は配信、又は、収集されたユーザーデータの収集、または配信は、関連したサーバーのプログラムコードの制御の下で、一般的に自動的に実行される。
【００１５】
ユーザーに配信するために選択されたオンライン広告は、包括的であるが、一般的にあるユーザーに（または、少なくともユーザーコンピュータに）ターゲットを絞ってオンライン広告を配信することは好ましい。オンライン行動に基づくオンライン広告にターゲットを絞ることは、多数の方法で行うことができる。直接アクセスされたオンラインサーバーは、オンライン側でのユーザー活動に基づいたユーザーコンピュータにオンライン広告を選択及び配信することができる。この活動は、オンライン期間中、そのサーバーによって監視される。例えば、オンライントラベルサイトのためのサーバーは、ユーザーがその領域への飛行機のチケットを探すとき、期間中、特別の地域におけるホテル、またはレンターカーのためのオンライン広告を配信できる。
【００１６】
また、この直接アクセスされるオンラインサーバーは、（または代わりに）前のオンライン期間中に、このサーバーに対して、ユーザー活動に基づく現在のオンライン期間中、ターゲットオンライン広告を配信することができる。例えば、ユーザーは、売主のオンラインサーバーを介して音楽及びビデオのオンラインセラーから特定の映画を前のオンライン期間中に、購入することができる。ユーザーが、音楽／ビデオの売主サーバーにアクセスするとき、後に続くオンライン期間中、そのサーバーは、（共通の俳優、主題、他の顧客による購入、及びその他による）購入物に関係した対応する映画サウンドトラック又は他の映画に対するオンライン広告を配信できる。
【００１７】
ターゲットを絞ったオンライン広告は、また（代わりに）、リダイレクトサーバー（アクセスされたサーバーまたは別のサーバーから与えられるリダイレクトを用いて）によって選択されまたは配信される。前記２つの例では、アクセスされたオンラインサーバーをリダイレクトするときのユーザーオンライン期間中、ターゲットオンライン広告を選択しまたは配信するリダイレクトサーバーにより実行される。
【００１８】
しかし、一般的なリダイレクトサーバーは、多数のオンラインサーバーからリダイレクトを受信でき、このリダイレクトサーバーが、（後に続く各リダイレクトでそのリダイレクトサーバーのクッキーの認定又はアップデートを介して）同一のユーザーコンピュータに関連した対応するサーバーによって供給された多数のオンラインサイトでのオンライン活動を認知することができる。
【００１９】
それゆえ、リダイレクトサーバーは、他方のアクセスされたオンラインサーバーでのユーザーオンライン活動に基づいた、一方のアクセスされたオンラインサーバーでのオンライン期間中、（同一のオンライン期間中、又は以前のオンライン期間中）ユーザーに対してオンライン広告を選択または配信することができる。
【００２０】
また、代わりに、リダイレクトサーバーは、オンラインデータを収集し、統合し、そして配信することができ、さらに、オンライン広告を選択または配信する別のサーバーにデータを供給する。オンラインユーザーのデータを収集し、統合し、そして配信する一連のいくつかの中間サーバーがありえる。
【００２１】
種々の形式のオンライン事業者は、オンライン広告のターゲット及び配信を容易にするためリダイレクトサーバーを操作する。このようなオンライン広告事業者の例は、オンライン広告スペースの売主、オンライン広告スペース購入者、オンラインデータ統合者、オンラインデータ配信者、又はそれらの組合せとして動作する事業者を含むが、これらに限定されるものではない。このような事業者は、ユーザーによって直接アクセスされるサーバーのみならずリダイレクトサーバーも同様に操作することができる。
【００２２】
オンライン行動に基づいたオンライン広告をターゲットにするための従来の方法は、個人的な識別可能な情報を用いることなく実行される。オンライン活動のトラッキング及びその活動に基づくオンライン広告をターゲットすることは、オンラインサーバーをアクセスするコンピュータユーザーの識別情報の知識なしで、（またはオンラインアクセスデバイスがオンラインサーバーをアクセスするために用いられる受信契約者の識別情報の知識なしで）クッキー又は統計的ＩＰアドレス、またはアドウエアのみを用いて完了することができる。一般的にアクセスされたオンラインサーバーは、その情報がユーザーによって供給されなければ、サーバーによって制御されたオンラインサイトと相互にやり取りしながら、個人的な識別可能な情報にアクセスしなければならない。そして、アクセスされたオンラインサイトの操作者は、一般的に第三者に対してユーザーの明白な同意なしで（即ち、ユーザー選択なしで）情報を供給することは許されない。
【００２３】
オンラインアクセスのプロバイダー（即ち、インターネットサービスプロバイダー、a/k/a  ＩＳＰ）は、全てのオンライン活動を追跡しかつ記録でき、また受信契約者の識別情報を有するトラッキング情報を関連付けることができる。しかし、現在の公共及び産業政策は、一般的に、複数のＩＳＰによってオンライン活動のこのようなトラッキングを禁止し、さらに、その活動を特定のユーザーまたは受信契約者に関連させ、又は選択なしで第三者にこのような情報を配信することを禁止する。たとえ論争を避けるための法的な、秘密の政策及び商業的実践であっても、個人的に識別可能な情報の漏洩または公表を可能にする、このような情報のトラッキングを避けることに賛成である。
【００２４】
ユーザーコンピュータから発生するオンライン活動のみならず、ユーザーの「オフライン」活動及び特性（即ち、コンピュータネットワークを介したアクセスを用いて実行されない活動、またはオンラインサイトによって必ずしも識別できない特性）に基づいて、オンライン広告をターゲットすることは有益であろう。
【００２５】
このようなオフライン特性及び活動は、住居、家、又は自動車の所有者、雇用状態、職業記述、婚姻またはファミリー構成、収入レベル、購入した製品のオフライン（電話でのオーダー、メールでのオーダー、または店内で）、クレジット記録、メンバーシップ、政治または宗教、または受信契約者の他の人口学的または行動情報を含むが、これらに制限されない。この種のデータは、ここでは、「オンラインデータ」に対してユーザーオンライン活動から生じる「オフラインデータ」と呼ばれる。
【００２６】
大量のオフラインデータは、例えば、米国の大多数の消費者に対して、Experian,Trans-
Union,およびEquifax等の信用調査協会によって蓄積されている。小売店もまた、彼らの顧客に関するオフラインデータベース及びその顧客の購入履歴を収集しかつ維持している。組織体は、メンバー、支持者、または寄付者のデータベースを収集しかつ維持する。オフラインデータのこのような収集者または所有者の全ては、ここでは、「オフラインデータプロバイダー」と呼ばれる。
【００２７】
オフラインデータは、顧客に対するプリント、メール、及び電話広告（即ち、オフライン広告）のターゲットを絞るために通常用いられる。この性質により、このようなオフラインデータは、個人的に識別可能な情報を含み、共通の意図した使用が、オフライン広告にターゲットを絞ることであり、それは、特定個人のメールアドレス、または電話番号に向けられなければならないからである。個人的に識別可能な情報の例は、名前、誕生日、住所、電話番号、ｅメールアドレス、金融口座番号、政府発行識別情報（例えば、社会保障制度番号、または運転免許証番号）、車両登録、又は車体番号、顔画像、指紋、網膜スキャン、他の生体情報、サイン、又は他の筆跡サンプル、又は他の特定の個人に結び付けられる情報を含むが、これらに制限されるものではない。
【００２８】
現在の個人的に識別可能な情報のオンライン配信は、いわゆるオプトイン方式に制限され、この中でオンラインサイトにアクセスするユーザーは、他の事業者に対してユーザーの個人的に識別可能な情報を配信するために、サイトに対して明確な許可を与えなければならない。前に収集されたオンライントラッキングまたは行動データを有するＰＩＩの結合は、ユーザーのオプトイン方式に一般的に制限される。このようなオプトイン方式の弱さは、その制限されたスケール（即ち、制限された範囲又は市場浸透）であり、多くのユーザーは、オプトインすることを拒否するからである（ユーザーは、かれらの識別情報が配信されるのを望まないからである。）。
【００２９】
対照的に、個人的に識別されない、情報またはデータのみを用いるオンライン広告のターゲットは、事前に許可を求めることなくでき、そのユーザー情報は、この情報を用いるために、ユーザーがオンラインサイトに対する許可を明確に拒絶しなければ、オンライン広告をターゲットするのに用いることができる。このようなオプトアウト方式が、商業的により価値があるものとなり、より多くの割合のユーザー（肯定的にオプトインする人々と比較して）は、オプトアウトすることがないであろう。それゆえ、個人的に識別可能でない情報の使用が可能になる。任意の産業の独創力を介して大部分のオンラインサイトの操作者およびオンライン広告企業により成されるように、オプトアウトする能力は、アクセスされた、又はリダイレクトサーバーによって明確に利用可能になる。ユーザーは、コンピュータ上のクッキーを削除又は不能にすることにより、クッキーを保存するオンライン事業者によって収集されたデータに基づいた広告のターゲットを効果的に防止又は少なくとも制限することができる。
【発明の概要】
【００３０】
個人的に識別可能な情報（即ち、オプトアウト配列において）を有するオンライン活動の容認できない又は望ましくない関連付けなしで、オフラインデータに基づくオンライン広告のターゲットを可能にするために、１つの方法が、ＩＳＰの制御の下で１つ以上のサーバーを用いて実行される。ここで、(a)１つ以上のサーバーは、ＩＰアドレス、時間及び日付の電子伝送を要求サーバーから受信する。(b)、１つ以上のサーバーが、ＩＳＰの受信契約者に対して、受信された時間及び日付に割り当てられた受信されたＩＰアドレスを自動的に決定する。(c)このＩＳＰは、オフラインデータプロバイダーから発生するオフラインデータの要求サーバーに配信させる電子通信を自動的に伝送する。配信されたオフラインデータは、受信された時間及び日付における受信されたＩＰアドレスを割り当てられるように決定した受信契約者に関係する。
【００３１】
好ましい方法では、受信契約者の秘密は、いくつかのステージで維持される。ステップ(a)では、ＩＳＰサーバーによって受信された電子伝送は、要求するオンラインサーバー（例えば、受信契約者によってアクセスされたオンラインサイトのサーバー）にアクセスするのに用いられた、または要求するリダイレクトサーバーにリダイレクトされた、受信契約者のコンピュータ又はアクセスデバイスの識別のみを含む。このような識別は、アクセス又はリダイレクト用の少なくともＩＰ／Ｔ／Ｄを含む。また、クッキー識別情報等の更なる識別情報を含むこともできる。ＩＳＰサーバーへの伝送は、要求サーバーからの伝送を含むことができ、またはＩＳＰサーバーに受信契約者のコンピュータのリダイレクトを含むことができる。オンライン活動の受信契約者の履歴に関する情報が、ＩＳＰサーバーまたはオフラインデータプロバイダーに伝送される必要がない。
【００３２】
ステップ(b)において、ＩＳＰサーバーは、その受信契約者に対して、特定の時間及び日付に割り当てられた特定のＩＰアドレスを決定するために、サーバー自体のログファイルを自動的に検索する。このＩＳＰは、そのＩＰアドレスを用いて、オンライン活動がどのように実行されたかを決めるための更なる探査を必要としない（また、受信契約者によってオプトインなしで行うことは、産業及び公共政策によって現在禁止されている。）。ＩＳＰによって、パート(c)におけるオフラインデータの伝送を用意することは、受信契約者の名前（および受信契約者のアドレス、電話番号、又は他の確認情報）のオフラインデータプロバイダーへの伝送を含んでいるが、ＩＳＰにより受信契約者に供給されるオンラインアクセスを介して、オンライン活動の履歴に関する情報のオフラインデータプロバイダーへの伝送は含まれない。
【００３３】
オフラインデータプロバイダーは、現在の法律及び政策によって許されているように、受信契約者（受信されたＩＰアドレスに割り当てられるようにＩＳＰによって決定された）に関係するオフラインデータを伝送することができる。好ましくは、要求するオンラインサーバーに伝送されるオフラインデータは、個人的な識別可能な情報を含まない。このオフラインデータは、直接要求するサーバーに（即ち、ＩＳＰによって伝送されることなく）電気的に伝送され、または要求するサーバーにオフラインデータを順次電気的に伝送するＩＳＰサーバーに電気的に伝送される。個人的に識別可能な情報は、オフラインデータプロバイダーによって除去され（又は最初から含まれない）、またはＩＳＰサーバーによって取り除かれる（もし、再伝送されるならば）。この伝送されたオフラインデータ（個人的な識別可能情報から逃れた）は、ステップ(a)における伝送に含まれたＩＰ／Ｔ／Ｄによって、または、（以下で記述するように）対応する識別情報によって、要求するオンラインサーバーに対して識別される。
【００３４】
それゆえ、要求するオンラインサーバーは、受信契約者にオンライン広告のより良いターゲットを得るように、受信契約者のオフラインデータのいくつかにアクセスを提供する。この受信契約者は、それにもかかわらず、要求するオンラインサイトに匿名のまま残る（即ち、個人的に識別可能でない）。
【００３５】
この方法のゴールは、コンピュータユーザーに関係するオフラインデータを、オンラインサイトにアクセスするのに用いられる特定のコンピュータに、コンピュータユーザーの秘密を漏洩することなく、（例えば、オンライン走査検索の履歴等のオンライン活動のユーザー履歴に、ユーザーの個人的な識別情報をリンクさせることなく）結合することである。アクセスされたオンラインサイトをホストするサーバーは、１つのコンピュータ及びそのオンライン活動を識別するが、（もちろん、そのユーザーは、オンラインサイトに十分、自身の識別情報をオプトイン方式において供給しなければ）そのユーザーを識別しない。
【００３６】
オフラインデータプロバイダーは、個人的に識別されたユーザーに関係するオフラインデータを提供するが、オンライン活動のユーザー履歴に関する情報を含まない。ＩＳＰは、与えられた時間及びユーザーの個人的識別におけるユーザーのＩＰアドレスにアクセスし、そして、その情報のみを用いて、要求するサーバーによって、ユーザーの秘密または個人的な識別情報を漏洩することなく、オンライン活動のユーザ履歴にリンクされるように、ユーザーのオフラインデータ（個人的に識別できない部分）を伝送することができる。
【００３７】
それらの事業者のただ1つも、ユーザーの個人的な識別情報、ユーザーのオンラインアクセスまたはコンピュータの識別情報、オンライン活動のユーザー履歴、及びユーザーのオフラインデータを所有していない。もしＩＳＰが、ユーザーのオプトインのない場合、産業及び公共政策によって現在禁止されているユーザーのオンライン活動に関係する詳細な情報を収集しようとするならば、ＩＳＰが、その情報（オンライン活動のユーザー履歴を含む）の全てにアクセスできることは正しい。
【００３８】
ＩＰ／Ｔ／Ｄを受信した後、ＩＳＰは、オフラインデータプロバイダーからオフラインデータの伝送を要求するサーバーに行うことができる多数の方法がある。
第１に、このＩＳＰは、オフラインデータをオフラインデータプロバイダー（ＩＰ／Ｔ／Ｄを受信する前に、又はその受信に応じて）から受信でき、そして、そのオフラインデータを要求するサーバー（受信契約者を要求するサーバーに対して個人的に識別することなく）に伝送する。このオフラインデータプロバイダーは、受信契約者のためのオンライン識別情報またはＩＰアドレスを設ける必要がない。ＩＳＰによってオンラインデータプロバイダーから受信したオフラインデータは、一般的に、個人的に識別可能な情報（例えば、受信契約者の名前）を含む。そして、実際、ＩＳＰは、すでに個人的に識別可能な情報を持っている。
【００３９】
しかし、一般的に個人的に識別可能な情報は、（受信契約者が、この情報を要求するサーバーに供給することを認められていなければ、）要求するオンラインサーバーに伝送されることはない。要求するサーバーへのオフラインデータの伝送は、オフラインデータプロバイダーからオフラインデータのＩＰ／Ｔ／Ｄまたは後続する伝送を受信するのに応じて自動的に起こり得る。オフラインデータプロバイダーからオフラインデータの後続する伝送（即ち、ＩＳＰがＩＰ／Ｔ／Ｄを受信した後）は、ＩＳＰから、受信契約者を個人的に識別するオフラインデータプロバイダーへの伝送に応答して起こり得る。この伝送は、さらに、オフラインデータのための要求を含むことができ、あるいは、このオフラインデータは、ＩＳＰ及びオフラインデータプロバイダー間の再構築に従ってオフラインデータプロバイダーによって伝送される（例えば、フラインデータプロバイダーは、ＩＳＰによって伝送された受信契約者の名前を受信するときに、この伝送において含まれているデータに対する特別の要求なしで、オフラインデータをＩＳＰに伝送する。）。
【００４０】
第２に、オフラインデータは、ＩＳＰによって伝送されることなく、オフラインデータプロバイダーによって、要求するサーバーに伝送される。オフラインデータプロバイダーによるこの伝送は、ＩＳＰから、個人的に受信契約者を識別するオフラインデータプロバイダーへの伝送に応答して自動的に起こる。そして、この伝送は、要求するサーバーにオフラインデータを伝送するための指令を含み、又は関連する。この指令は、ＩＳＰとオフラインデータプロバイダーとの間の再構築を含むことができる（例えば、オフラインデータプロバイダーは、ＩＳＰによって伝送される受信契約者の名前を受信するときに、この伝送に含まれるデータに対する特別の要求なしで、要求するサーバーにオフラインデータを伝送する。）。
この伝送は、さらに、オフラインデータプロバイダーが、オフラインデータを多数の要求するサーバーの正しい1つに伝送できるように、要求するサーバーの識別情報を含むことができる。
【００４１】
このオフラインデータは、同一の受信契約者に関係するが、要求するサーバーに個人的に識別可能な情報を明らかにすることなく、またはオフラインデータプロバイダーへのオンライン活動を明らかにすることなく、要求するサーバーとオフラインデータプロバイダーの両方によって認知可能とすべきである。オフラインデータに関連する１つ以上の識別情報は、相互認定を達成するために用いられる。１つの例では、ＩＰ／Ｔ／Ｄ（例えば、クッキー識別情報）に加えてオンライン識別情報は、要求するサーバーによって集めることができ、そして、ＩＰ／Ｔ／Ｄに沿ったＩＳＰに伝送することができる。この付加的な識別情報は、ＩＳＰからオフラインデータプロバイダーに伝送され、（ＩＰ／Ｔ／Ｄなしで）そして、この識別情報は、オフラインデータプロバイダーから要求するサーバーへのオフラインデータの伝送を含み、または関連している。
【００４２】
別の例では、個人的に識別可能な情報を含まない識別情報、(即ち、オフラインデータ識別情報)、要求するサーバーにＩＳＰによって伝送される。この識別情報は、ＩＳＰによって発生され、そして、オフラインデータプロバイダーに伝送され、あるいは、オフラインデータプロバイダーによって発生されかつオフラインデータプロバイダーから受信される。オフラインデータの識別情報は、オフラインデータプロバイダーから要求するサーバーへのオフラインデータの伝送を含み、あるいは関連することができる。
【００４３】
オフラインデータプロバイダーから要求するサーバーへのオフラインデータの伝送における他の例では、オフラインデータプロバイダーに供給されるＩＰ／Ｔ／Ｄを含み、また、それゆえ、受信契約者のオプトインを要求する。このような例の１つは、要求するサーバーによって伝送されるＩＰ／Ｔ／Ｄは、オフラインデータプロバイダーに伝送することができ、ＩＰ／Ｔ／Ｄは、オフラインデータプロバイダーから要求するサーバーへのオフラインデータの伝送を含み、あるいは関連させることができる。このような別の例では、ＩＳＰは、オフラインデータを要求し、そして、要求サーバーが、オフラインデータプロバイダーのサーバーに対して、受信契約者のコンピュータにリダイレクトし、個人的に識別可能でないオフラインデータへのアクセスを与える。このようなリダイレクトは、受信契約者のＩＰアドレスをオフラインデータプロバイダーに供給する。
【００４４】
受信契約者についてのオフラインデータの取得は、オンラインサーバーからまたはリダイレクトサーバーから受信した要求（例えば、ＩＰ／Ｔ／Ｄ）に応答してＩＳＰによって実行することができる。代わりに、ＩＳＰは、オフラインデータプロバイダーからの時間に先行して、その受信契約者についてのオフラインデータを取得することができる。ＩＳＰは、このようなオフラインデータのデータベースを蓄積することができ、更に、オンラインサーバー又はリダイレクトサーバーからの要求に応答して、そのデータベースの一部を（受信契約者を個人的に識別することなく）伝送することができる。オフラインデータは、オフラインデータプロバイダーからの後続の取得によって周期的にまたは断続的にアップデートされる。
【００４５】
要求するサーバーは、種々の方法でオフラインデータを用いることができる。このサーバーは、受信契約者の現在のオンラインセッション、または将来のオンラインセッション中に対応する受信契約者にオンライン広告をターゲットするためにそのデータを用いることができる。さらに、このサーバーは、オフラインデータ（個人的に識別可能な情報なしで）を、一般的に、受信契約者のコンピュータへのリダイレクトを介して、他のオンラインサーバーに配信することができる。他のオンラインサーバーは、オンライン広告をターゲットするためにオフラインデータを用いることができる。さらに、要求するサーバー又は他のオンラインサーバーは、２００７年４月１７日に出願された米国特許出願第１１／７３６,５４４号明細書、２００７年１２月３１日に出願された米国特許出願第１１／９６８,１１７号明細書、２００８年１０月２３日に出願された米国特許出願第１２／２５７,３８６号明細書の教示に従うＴＶ広告をターゲットにするためにオフラインデータを用いることができる。これらの文献は、ここであたかも説明されたように、参考としてここに包含されている。
【００４６】
上記した方法は、広告収益の適当なまたは望ましい流れを含むことができる。いくつかの例は、以下の点を含むがそれらに限定されるものではない。
(i)オフラインデータの代わりに、ＩＳＰまたはオフラインデータプロバイダーに対して、要求するサーバーを制御する事業者による支払い。
(ii)オフラインデータを配信する代わりに、他のオンライン広告事業者からの収入を有する事業者によるレシート、
(iii)オフラインデータに対する代わりに、オフラインデータプロバイダーへのＩＳＰによる支払い、または、
(iv)オフラインデータプロバイダーにＩＳＰの受信契約者を識別する、またはオンライン広告事業者にオフラインデータを配信することの代わりに、ＩＳＰへのオフラインデータプロバイダーによる支払い、
【００４７】
ある環境では、ＩＳＰによって再度伝送されるユーザーのオフラインデータへのアクセスを避けるまたは拒否されることは、ＩＳＰに対して望ましいと考えられる。それが望ましいものであるなら、エンコード又は暗号化する計画は、ＩＳＰを介して要求するオンラインサイトに対し、個人的に識別可能でないオンラインの一部分を伝送するために、要求するオンラインサイト及びオフラインデータプロバイダーによって発展しかつ使用することができる。このＩＳＰは、オンラインデータのその部分をデコードまたは解読するためのキーを与えるものではない。そして、ＩＳＰによってリレーされるように、そのデータにアクセスしなければならない。好ましいエンコードまたは暗号化プロトコルが使用される。
【００４８】
他のものに独立した本方法における個々のステップは、次のように実行される。
(i)（例えば、各ユーザーのコンピュータをリダイレクトすることにより）誰のオフラインデータが望ましいかについて個々のオンラインアクセスユーザーに対して実行できる。
(ii)一旦、アクセスされた多数のオンラインアクセスユーザーに対して、あるいは (例えば、５０人のユーザー毎又は１０００人のユーザー毎のログファイルを伝送するように）オフラインデータが望まれる所定数のユーザーを蓄積したオンラインサイトにリダイレクトする、多数のオンラインアクセスユーザーに対して実行できる。または、
(iii)一旦、所定の期間（例えば、２時間毎、又は２４時間毎にロングファイルを伝送するような）が経過すると、オフラインデータが望まれる、多数のオンラインアクセスユーザーに対して実行できる。
【００４９】
要求又はデータの種々の伝送のいくつかは、適当な方法で、他のものに独立して達成することができ、コンピュータのネットワーク又は電話（有線または無線）、記憶可能なメディア（例えば、磁気または光学ディスク、磁気テープ、半導体メディア）を介したデジタル伝送、アナログ伝送（有線または無線）、または印刷したハードコピーによるいくつかの適当な配信方法を含むが、これらに限定される物ではない。適当にプラグラムされたコンピュータ、サーバー、または他のマシンによって制御された自動の電子データ伝送を用いることが望ましい。たとえば、ＩＳＰによるＩＰアドレスの割当のロッギングは、その目的のためにプログラムされた１つ以上のコンピュータ又はサーバーを用いてなされる。
【００５０】
上記開示された方法で用いられるＩＰアドレスは、静的または動的とすることができる（例えば、動的ホスト形状プロトコル  a/k/a  ＤＨＣＰ）。このＩＰアドレスは、特定のコンピュータ又は他のオンラインユーザーインターフェースに関連付けることができ、または、モデム、ルーター、または他のオンラインアクセスデバイスに関連付けることができる。その結果、多数のオンラインユーザーインターフェースデバイスが、オンラインサイトにアクセスするとき、共通のＩＰアドレスを分け合うことができる。このＩＰアドレスは、ＩＰｖ４プロトコルに従って割り当てられた３２ビットのＩＰアドレス、ＩＰｖ６プロトコルに従って割り当てられた１２８ビットのＩＰアドレス、あるいは、将来発展するプロトコルの下で割り当てられる他の好ましいアドレスとすることができる。
【００５１】
オンラインユーザーインターフェースデバイスは、インターネット等のリモートネットワークにアクセスするために用いられる、いくつかのユーザーインターフェースデバイスを含み、携帯電話、又は移動送受信機、携帯情報端末（ＰＤＡ）、又はメットワーク付けられたコンピュータ（デスクトップ、ワークステーション、ノートブック、ラップトップ、又は他のもの）を含むが、これらに制限されるものではない。「ユーザーコンピュータ」又は「受信契約者のコンピュータ」の使用は、ネットワーク付けられたコンピュータまたは他の適当なオンラインユーザーインターフェースデバイスを示すように意図されている。
【００５２】
オンラインアクセスデバイスは、オンラインユーザーインターフェースデバイスをインターネット等のリモートネットワークに接続するために用いられるいくつかのデバイスを含むことができ、これらのデバイスは、モデム、有線または無線のルーター、無線アクセスポイント、有線ネットワークアダプター（例えば、イーサーネットアダプター）、無線ネットワークアダプター（例えば、ＩＥＥＥ802.11、Ｗｉ−Ｆｉ、ＷｉＭａｘ、ＥＤ−ＶＯ、ＥＤＧＥ，ＨＳＰＡ、ＣＤＭＡ、ＧＳＭ、または他のもの）または光ファイバーベースのネットワークアダプター（例えば、ネットワークインターフェースウニット、又は光学ネットワーク端末）を含むが、これらに制限されるものではない。オンラインアクセスデバイスの異なる形式は、単一ユニット（例えば、ＬＡＮ用のルーターとしての機能を有するモデム）の中に結合でき、または一体化される。オンラインアクセスデバイスおよびオンラインアクセスデバイスは、単一ユニット（例えば、イーサーネットアダプター、無線アダプター、またはモデムをビルトインしたコンピュータ）の中に結合でき、または一体化される。
【００５３】
受信契約者は、通常、周期的に契約料の返礼として、ＩＳＰを有する装置を介してオンラインアクセスを確立したユーザーである。このＩＳＰは、その受信契約者のための個人的に識別可能な情報を有しており、この情報は、一般的に、少なくとも名前、請求先住所、及び（アクセスが移動するものでなければ）オンラインアクセスのためのサービスアドレスを含み、また、電話番号、ｅメールアドレス、及び銀行又はクレジットカードの情報を含む。オフラインデータプロバイダーによって伝送されるオフラインデータは、少なくとも受信契約者に関係するデータを含む。しかし、多数の人は、共通の家庭に住み、共通のビジネス組織で働いているので、オフラインデータプロバイダーは、受信契約者以外の人に関係する、要求するオンラインサーバーのオフラインデータ（個人的に識別可能なものではない）への伝送を含む。例えば、オフラインデータは、家庭内の子供の数、又は年齢についての情報、あるいは家庭内の配偶者又は両親についての情報を含むことができる。別の例では、オフラインデータは、受信契約者が商売人又は企業の所有者であるなら、その商売又はその会社員についての情報を含むことができる。
【００５４】
本明細書に開示されたシステム及び方法は、汎用または専用のコンピュータ、またはサーバー、またはソフトウェアによってプログラムされる他のプログラム可能なハードウェアデバイス、または、電気配線によって「プログラム」されるハードウェアまたは設備、または、これらの組合せによって実装することができる。コンピュータプログラムまたは他のソフトウェアは、それが使用される場合、マイクロコード、オブジェクト指向型コード、または、ウェブ技術に基づくまたは分散型の複数のソフトウェアモジュールの組合せによってプログラミングされることによって、一時的または恒久的なストレージ、または、交換可能な媒体、ＲＡＭ、ＲＯＭ、ＣＤ−ＲＯＭ、ＣＤ−Ｒ、ＣＤ−Ｒ／Ｗ、ＤＶＤ−ＲＯＭ、ＤＶＤ±Ｒ、ＤＶＤ±Ｒ／Ｗ、ハードドライブ、サムドライブ、フラッシュメモリ、光媒体、磁気媒体、半導体媒体、または、今後開発される任意のストレージに実装される。
【００５５】
開示された例示的な実施形態及び方法の均等物は、本明細書の開示及び／または添付請求項の範囲に含まれるものである。開示された例示的な実施形態及び方法、及びその均等物は、本明細書の開示または添付請求項の範囲から逸脱することなく、変更可能である。
【００５６】
本明細書における開示及び添付請求項において、用語「または（or）」は、包含的な意味で用いられる。例えば、「犬または猫」は、「犬、猫、または両方」を意味する。例えば、「犬、猫、または鼠」は、「犬、猫、鼠、任意の２匹、または３匹全て」を意味する。例外は、（i）明示的に記載されている場合、または、（ii）特定の文脈において、選択肢のうちの２つ以上が互いに排他的であり、「または（or）」が、互いに排他的でない選択肢を含む組合せのみを包含する場合である。（i）の場合の例として、「〜のいずれか一方（either…or）」、「〜のうちの１つのみ（only one of…）」、または同様の言い回しがあげられる。本明細書における開示または添付請求項において、用語「含む（comprising）」、「含む(including)」、「有する（having）」、及びこれらの用語から派生する用語は、非限定的な意味で用いられるものであり、これらの用語の前に「少なくとも（at least）」を付加した場合と同じ意味を有するものである。